(57)【特許請求の範囲】
【請求項１】
乳頭部分から乳房にかけて略密着状に覆う搾乳カップ体と、該搾乳カップ体に形成した母乳の流出管部と、該流出管部の下端に、哺乳ビンの上端開口部の外周にねじ込むキャップにより、該上端開口に締着されるフランジ状の取り付け台座とを形成してなり、
前記搾乳カップ体を、前記乳頭部分や乳房とともに手で揉んで搾乳できる弾性のシリコンゴム又は軟質プラスチック製としたことを特徴とする母乳搾乳補助具。
【請求項２】
搾乳時に指を掛けて前記哺乳ビンを保持する指掛けフックをリング状の取り付け台座に設けてなる哺乳ビンの保持具を、該リング状の取り付け台座を哺乳ビンの上端開口の外周に回動自在に嵌着して前記哺乳ビンに取り付けた後、前記フランジ状の取り付け台座を前記キャップにより哺乳ビンの上端開口部に締着することを特徴とする請求項１に記載の母乳搾乳補助具。
【発明の詳細な説明】
【０００１】
【発明の属する技術分野】
本発明は、母乳搾乳補助具に関するものである。
【０００２】
【従来の技術】
従来の母乳搾乳補助具は、漏斗形に形成した硬質プラスチック製の母乳受けにねじ込み式のキャップを一体成形したもので、該キャップを哺乳ビンの上端開口に取りつけて搾乳する。この場合、片方の手で哺乳ビンを保持するとともに、他方の手で乳房を揉むため、母乳受けを乳房からある程度離す必要がある。そして、乳頭に開く乳腺から出る母乳を母乳受けで受けて哺乳ビンに溜めるようにしていた。
【０００３】
【発明が解決しようとする課題】
しかしながら、乳頭に開く多数の乳腺の何れから母乳が出るのか分からないため、搾り出された母乳が漏斗状の母乳受けで正しく受けることができなくて、こぼれてしまう場合がある。また、直接手で乳頭を揉むため雑菌等が母乳に付着して哺乳ビン内に入ってしまう場合があり衛生上問題がある。
本発明は上記問題点を解決するためになされたもので、母乳の搾乳を衛生的かつ簡単に行える母乳搾乳補助具を提供することを目的とする。
【０００４】
【課題を解決するための手段】
上記目的を達成するための請求項１に記載の母乳搾乳補助具は、乳頭部分から乳房にかけて略密着状に覆う搾乳カップ体と、該搾乳カップ体に形成した母乳の流出管部と、該流出管部の下端に、哺乳ビンの上端開口部の外周にねじ込むキャップにより、該上端開口に締着されるフランジ状の取り付け台座とを形成してなり、前記搾乳カップ体を、前記乳頭部分や乳房とともに手で揉んで搾乳できる弾性のシリコンゴム又は軟質プラスチック製としたことを特徴とする。
【０００５】
請求項２に記載の母乳搾乳補助具は、請求項１に記載した構成において、搾乳時に指を掛けて前記哺乳ビンを保持する指掛けフックをリング状の取り付け台座に設けてなる哺乳ビンの保持具を、該リング状の取り付け台座を哺乳ビンの上端開口の外周に回動自在に嵌着して前記哺乳ビンに取り付けた後、前記フランジ状の取り付け台座を前記キャップにより哺乳ビンの上端開口部に締着することを特徴とする。
【０００６】
【発明の作用及び効果】
請求項１の母乳搾乳補助具によれば、母乳の流出管部の下端に設けたフランジ状の取り付け台座を、哺乳ビンの上端開口部の外周にねじ込むキャップにより該上端開口に締着して哺乳ビンに取り付け、搾乳カップ体により乳頭部分から乳房にかけて略密着状に覆うとともに、搾乳カップ体とともに乳頭部分や乳房を手で揉んで搾乳する。流れ出た母乳は、搾乳カップ体の流出管部を流れて哺乳ビンに溜まる。搾乳カップ体は、乳頭部分や乳房とともに手で揉んで搾乳できる弾性のシリコンゴム又は軟質プラスチック製であるから、乳頭部分から乳房にかけて略密着状に覆い、該搾乳カップ体とともに乳頭部分や乳房を手で揉むことにより、母乳をこぼすことなく搾乳することができる。また、直接手で乳頭部分を揉むことがないため、雑菌等が母乳に付着して哺乳ビン内に入ってしまう恐れがなく衛生的である。
【０００７】
請求項２の母乳搾乳補助具によれば、搾乳時に指を掛けて哺乳ビンを保持する指掛けフックをリング状の取り付け台座に設けてなる哺乳ビンの保持具を、該リング状の取り付け台座を哺乳ビンの上端開口の外周に回動自在に嵌着して哺乳ビンに取り付けた後、フランジ状の取り付け台座をキャップにより哺乳ビンの上端開口部に締着して、保持具を抜け外れ不能に取付ける。従って、指掛けフックに乳頭部分や乳房を揉む指以外の指を掛けて搾乳カップ体を取り付けた哺乳ビンを保持できるから、片手のみならず両方の手を用いて搾乳できる。この場合、哺乳ビンに取り付けた搾乳カップ体の向きに応じて、リング状の取り付け台座を哺乳ビンの上端開口の外周で回動させ、搾乳及び哺乳ビンの保持に最適な位置に移動させることができ、使い勝手を向上できる。
【０００８】
【発明の実施の形態】
本発明の実施形態について添付図面を参照して説明する。図１は本発明に係る母乳搾乳補助具１の斜視図、図２は哺乳ビン５への取り付け状態を示した断面図である。搾乳カップ体２は、、乳頭部分や乳房とともに手で揉んで搾乳できる弾性のシリコンゴム又は軟質プラスチック製であり、乳頭部分から乳房に掛けて略密着状に覆うことができる漏斗形に形成されている。搾乳カップ体２の下端部に搾乳した母乳の流出管部３が一体成形されている。また、流出管部３の下端には、フランジ状の取付け台座４が一体成形されている。
【０００９】
図２に示すように母乳搾乳補助具１は、流出管部３を哺乳ビン５のキャップ６の中心孔７に通し、該キャップ６を哺乳ビン５の上端開口部５ａの外周に形成したねじ部８にねじ込んで開口６の上端面にフランジ状の取付け台座４を締着する。そして、搾乳カップ体２により乳頭部分から乳房にかけて略密着状に覆うとともに、図２の矢印に示すように手で搾乳カップ体２とともに乳房や乳頭部分を揉んで搾乳する。搾乳した母乳は、搾乳カップ体２の流出管部３を流れて哺乳ビン５に溜まる。
【００１０】
上記構成及び作用の母乳搾乳補助具１は、弾性材料であるシリコンゴム又は軟質プラスチック製からなる搾乳カップ体２は、乳頭部分や乳房とともに手で揉んで搾乳できる弾性を備えたものであり、乳頭部分から乳房に掛けて略密着状に覆い、該搾乳カップ体２とともに乳房や乳頭部分を手で揉むことができるから、母乳をこぼすことなく搾乳でき、使い勝手が向上する。また、直接手で乳房や乳頭部分を揉むことがないため、雑菌等が母乳に付着して哺乳ビン内に入ってしまう恐れがなく衛生的である。さらに、母乳が手に付着することもないとともに、母乳を空気中の雑菌等に殆ど曝すことなく搾乳できる。
【００１１】
上記搾乳カップ体２のフランジ状の取付け台座４に代えて、流出管部３の下端に直接キャップ６を取り付け、哺乳ビン５の上端開口５ａのねじ部８にねじ込むようにしてもよい。また、上記搾乳カップ体２は、乳頭部分から乳房に掛けて略密着状に覆うようにしたが、少なくとも乳頭部分を略密着状に覆うものであってもよい。
【００１２】
図３は、母乳搾乳補助具１とともに用いる保持具２１の斜視図である。該保持具２１は、リング状の取り付け台座２２と指掛けフック２３とから構成されている。保持具２１は、取付け台座２２を哺乳ビン５の上端開口５ａに回動自在に嵌着して哺乳ビン５に取り付ける。そして、保持具２１を取り付けた後、母乳搾乳補助具１のフランジ状取り付け台座４を、ねじ部８にねじ込むキャップ６により締着して、保持具２１及び母乳搾乳補助具１を抜け外れ不能に取付ける（図４）。搾乳の際には、乳頭部分や乳房を揉む指以外の指例えば小指を、指掛けフック２３に掛けて搾乳カップ体２を取付けた哺乳ビン５を保持する。
【００１３】
そして、搾乳カップ体２により乳頭部分から乳房にかけて略密着状に覆い、該搾乳カップ体２とともに乳房や乳頭部分を手で揉んで搾乳する。従って、片手のみならず両手を用いて搾乳することができる。この場合、哺乳ビン５に取り付けた搾乳カップ体２の向きに応じて、取り付け台座２２を哺乳ビン５の上端開口５ａの外周で回動させ、搾乳及び哺乳ビンの保持に最適な位置に指掛けフック２３を移動させることができ、使い勝手が向上する。
【００１４】
尚、上記指掛けフック２３に代えて、指を挿入して掛止できる掛止環部を設けてもよい。
【図面の簡単な説明】
【図１】  母乳搾乳補助具の斜視図である。
【図２】  哺乳ビンへの取り付け状態を示した断面図である。
【図３】  保持具の斜視図である。
【図４】  保持具の使用状態を示した断面図である。
【符号の説明】
１...母乳搾乳補助具
２...搾乳カップ体
３...流出管部
４...フランジ状の取付け台座
５...哺乳ビン
６...キャップ
２１...保持具
２２...リング状の取付け台座
２３...指掛けフック
【図１】
0003895234.tif 000002
【図２】
0003895234.tif 000003
【図３】
0003895234.tif 000004
【図４】
0003895234.tif 000005